(57)【要約】      （修正有）【課題】杭や耐圧盤などで地盤補強した土地に建築される建物や既存建物の基礎下に免震装置を設置する工法を提供する。【解決手段】地盤補強のないベタ基礎の既存建物では、アンダーピニング工法により基礎下に建物支持杭５を圧入し、支持杭の杭頭に免震工法用支持台金具４を装着し、この上にＨ形鋼取付け治具３を固定して、この治具にＨ形鋼をボルトで固定してＨ形鋼フレーム６を組み立てる。このＨ形鋼フレーム上に免震装置２、減衰装置７および微震揺れ防止装置８を複数台づつバランス良く設置し、水平レベルを調整したあと建物支持治具のナットをバランス良く緩めて建物基礎を免震装置２、減衰装置７および微震揺れ防止装置８の上に降ろして固定する。【選択図】図２
2017002697.tif 000002
【特許請求の範囲】
【請求項１】
基礎下に設置され、地盤補強も合わせ持つことを特徴とする免震工法。
【請求項２】
アンダーピニング工法や耐圧盤工法で施工された支持杭と建物基礎の間に免震装置を設置されていることを特徴とする請求項１に記載の免震工法。
【請求項３】
杭、杭状地盤補強体の鋼管杭で施工された杭頭と建物基礎の間に免震装置が設置されていることを特徴とする請求項１又は２に記載の免震工法。
【請求項４】
アンダーピニング工法や耐圧盤工法で施工された支持杭や杭、杭状地盤補強体の鋼管で施工された杭頭間を鋼材で接続したフレームと建物基礎の間に免震装置が設置されていることを特徴とする請求項１から３に記載の免震工法。
【請求項５】
既存建物をジャッキで支持し、基礎下を掘削して現状の建物ＧＬと同等の高さに施工することを特徴とする請求項１から４に記載の免震工法。
【発明の詳細な説明】
【技術分野】
【０００１】  本発明は、地盤補強杭やアンダーピニング工法、耐圧板工法で施工された建物支持杭を利用して建物基礎下に免震装置を設置する工法に関するものである。
【背景技術】
【０００２】  既存建物の基礎下に免震装置を設置する免震化工事は、室内側または基礎下から床下地盤を掘削して基礎と地盤に空間を作り、コンクリートや耐圧盤で免震装置用の新たな基礎を作り免震装置を設置する工法で行われていた。【０００３】  また、先行技術の免震工法では、地盤の崩落がないときには建物の被害を大幅に軽減できるが、地盤が液状化による地盤沈下や地滑りなどで崩落したときには免震機能が損なわれる欠点を持っていた。
【先行技術文献】
【特許文献】
【０００４】
【特許文献１】特開２００１−２７１４９７号公報
【特許文献２】特開２００１−３１７２１７号公報
【特許文献３】特開２０１１−１６３０６６号公報
【発明の概要】
【発明が解決しようとする課題】
【０００５】  本発明は、地盤が崩落しても建物の崩壊を防止することを目標とした、建物の地震対策工法である。【０００６】  建物支持杭のない既存建物の軟弱地盤では、アンダーピニング工法で建物の支持地盤層まで支持杭を圧入し、硬質地盤では、耐圧盤工法で耐圧盤と支持管を設置して地盤と建物をしっかりと安定した状態にし、また杭による地盤補強工事の行われている既存建物では、この支持杭を利用して免震装置を設置する。【０００７】  新築建物では、地盤補強杭を支持地盤層まで打ち込んで地盤と建物をしっかりと安定した状態にして、この支持杭を利用して免震装置を設置する。
【発明の効果】
【０００８】  地盤補強体による免震工法は、杭または杭状補強体で液状化、地盤の不同沈下や地滑りなどによる地盤崩落時でも、建物や免震装置が支持地盤層から地盤補強体によって支えられているため、地震ときに建物の免震化を維持できる工法である。
また、既存建物の施工工事は全て床下で行い、居ながらの施工であるため工事による引っ越しや家具や美術品の配置換えや撤去なども不要で大幅なコスト削減や工期短縮の期待もできる。
【図面の簡単な説明】
【００９】
【図１】地盤補強体による免震工法のフローチャート。
【図２】既存建物のアンダーピニング工法による免震工法の概要図。
【図３】既存建物の耐圧盤工法による免震工法の概要図。
【図４】新築時における免震工法の概要図。
【図５】免震工法用支持台とＨ形鋼取付け治具。
【図６】免震工法のドライエリア概要図。
【図７】免震工法の完成概要図。
【図８】免震工法の完成概要図のコンクリート基礎下概要図。
【図９】免震工法用支持台に建物支持治具を取付けた全景。
【図１０】既存建物のジャッキアップ前の免震工法用支持台状態。
【図１１】既存建物のジャッキアップ中の免震工法用支持台状態。
【図１２】既存建物のジャッキアップ後に免震工法用支持台にＨ形鋼取付け治具を取付けた状態。
【図１３】Ｈ形鋼取付け治具にＨ形鋼のフレームを組み立てた状態。
【発明を実施するための形態】
【００１０】  図を用いて本発明に係る地盤補強体による免震工法の実施形態例を説明する。
【００１１】  図１は、地盤補強体による免震工法のフローチャートである。地盤調査までは同じ手順であるが、新築建物と既存建物の施工プロセスは異なり、また既存建物でも、地盤補強体の施工済建物と未施工建物では一部の作業工程で異なることを説明している。
既存建物では、工事完成後の建物高さを施工前のＧＬに合わせる場合は、基礎下の掘削工程が必要となることがある。
【００１２】  図２は、地盤補強のないベタ基礎の既存建物で、アンダーピニング工法により基礎下に建物支持杭５を圧入し、支持杭の杭頭に免震工法用支持台金具４を装着し、この上にＨ形鋼取付け治具３を固定して、この治具にＨ形鋼をボルトで固定してＨ形鋼フレーム６を組み立てる。このＨ形鋼フレーム上に免震装置２、減衰装置７および微震揺れ防止装置８を複数台づつバランス良く設置し、水平レベルを調整したあと建物支持治具のナットをバランス良く緩めて建物基礎を免震装置２、減衰装置７および微震揺れ防止装置８の上に降ろして固定する。
【００１３】  図３は、地盤補強のないベタ基礎の既存建物で、耐圧盤工法により基礎下の硬質地盤内に耐圧盤１０を設置しこの耐圧盤に溶接された支持管５の杭頭に免震工法用支持台金具４を装着し、この上にＨ形鋼取付け治具３を固定して、この治具にＨ形鋼をボルトで固定してＨ形鋼フレーム６を組み立てる。このＨ形鋼フレーム上に免震装置２、減衰装置７および微震揺れ防止装置８を複数台づつバランス良く設置し、水平レベルを調整したあと建物支持治具のナットをバランス良く緩めて建物基礎を免震装置２、減衰装置７および微震揺れ防止装置８の上に降ろして固定する。
【００１４】  図４は、建物を新築するときに軟弱地盤であったため、地盤補強杭４が施工され、この地盤補強杭を活用して免震装置を取り付ける工法である。
地盤補強杭の施工が完了したら通常の基礎工事の手順で砕石工事まで行い、砕石の上にドライエリアまで考慮した防湿コンクリート９を打設した後、杭頭に免震工法用支持台金具４を装着し、この上にＨ形鋼取付け治具３を固定して、この治具にＨ形鋼をボルトで固定してＨ形鋼フレーム６を組み立てる。このＨ形鋼フレーム上に免震装置２、減衰装置７および微震揺れ防止装置８を複数台づつバランス良く設置し、水平レベルを調整したあとＨ形鋼により基礎Ｈ形鋼フレーム１を組み立て免震装置２、減衰装置７および微震揺れ防止装置８を固定する。
【００１５】  図６は、地盤補強体による免震工法による建物基礎２とドライエリア３の関係図である。新築時は基礎Ｈ形鋼フレーム上に通常の建物が建築される。
【００１６】  図７は、既存建物での施工完了後の建物基礎１とドライエリア３およびドライエリアカバー２の関係図である。ドライエリアカバー２は、建物基礎に固定され、免震装置が作動し、揺れが発生した時には、建物と共に地面上をスライドする仕組みである。
【００１７】  図８は、図７の基礎下の概要である。
【００１８】  図９から図１３までは、地盤補強のない既存建物で、アンダーピニング工法や耐圧盤工法で地盤補強を行ったあとに既存建物をジャッキアップしＨ形鋼フレームを組み立てるまでの工程で使用する治具の概要図である。
図９は支持杭および支持管の杭頭に取り付けられる免震工法用支持台金具で、この金具に建物支持治具をセットした全景で、建物基礎と連動ジャッキに挟まれてスライドボルト２を持上げる板１と建物重量の掛かったスライドボルトを固定するナットなどで構成されている。
【００１９】  図１０は、杭頭にセットされた状態であり、図１１は連動ジャッキがセットされ建物基礎をジャッキアップしている状態である。
図１２は、建物を目的位置までジャッキアップ後、連動ジャッキとスライドボルト持上げ板が取り外され、Ｈ形鋼取付け治具がセットされた状態である。
図１３はＨ形鋼取付け治具にＨ形鋼フレームが組み立てられた状態である。
【符号の説明】
【００２０】図２の符号説明
１    コンクリート基礎
２    免震装置
３    Ｈ形鋼取付け治具
４    免震工法用支持台金具
５    建物支持杭
６    Ｈ形鋼フレーム
７    減衰装置
８    微震揺れ防止装置
９    軟弱地盤
１０  支持地盤（硬質地盤）
図３の符号説明
１    コンクリート基礎
２    免震装置
３    Ｈ形鋼取付け治具
４    免震工法用支持台金具
５    建物支持管
６    Ｈ形鋼フレーム
７    減衰装置
８    微震揺れ防止装置
９    支持地盤（硬質地盤）
１０  耐圧盤
図４の符号説明
１    基礎Ｈ形鋼フレーム
２    免震装置
３    Ｈ形鋼取付け治具
４    免震工法用支持台金具
５    建物支持杭（地盤補強杭）
６    Ｈ形鋼フレーム
７    減衰装置
８    微震揺れ防止装置
９    防湿コンクリート
１０  支持地盤（硬質地盤）
１１  軟弱地盤
図５の符号説明
１    Ｈ形鋼取付け治具
２    免震工法用支持台
３    水平レベル調整ボルト
４    支持杭（支持管）
図６の符号説明
１    免震装置
２    建物基礎
３    ドライエリア
図７の符号説明
１    コンクリート基礎
２    ドライエリアカバー
３    ドライエリア（壁面）
４    支持杭
図８の符号説明
１    免震装置
２    減衰装置
３    微震揺れ防止装
４    ドライエリアカバー
５    ドライエリア（壁面）
６    鋼管の建物支持杭
７    Ｈ形鋼フレーム
図９の符号説明
１    スライドボルト持上げ板
２    スライドボルト
３    スライドボルト固定ナット
図１１の符号説明
１    連動油圧ジャッキ
【図１】
2017002697.tif 000003
【図２】
2017002697.tif 000004
【図３】
2017002697.tif 000005
【図４】
2017002697.tif 000006
【図５】
2017002697.tif 000007
【図６】
2017002697.tif 000008
【図７】
2017002697.tif 000009
【図８】
2017002697.tif 000010
【図９】
2017002697.tif 000011
【図１０】
2017002697.tif 000012
【図１１】
2017002697.tif 000013
【図１２】
2017002697.tif 000014
【図１３】
2017002697.tif 000015